(57)【要約】  【課題】  エアフィルターの清掃時間の短縮化を図りつつ、フィルター清掃装置の作動に伴う騒音の発生を抑制可能な空気調和機を提供できるようにする。  【解決手段】  空気吸込み口２と熱交換器７との間のエアフィルター１５に付着した塵埃を清掃するフィルター清掃装置２０を備えた空気調和機である。そして、フィルター清掃装置２０は、エアフィルターに沿って往復移動可能な移動清掃部材２１と、この移動清掃部材を往復駆動させる駆動機構２２と、一端が移動清掃部材の出口部２４に接続された連結ダクト２５と、この連結ダクトの他端が接続された吸引装置部３１とを備え、移動清掃部材２１は、エアフィルタ−１５に付着した塵埃を回転により掻き落とすと共にその掻き落とした塵埃を回転により出口部２４側へ搬送する掻き落とし兼用の回転搬送ロータ２７と、この回転搬送ロータを回転駆動させるロータ駆動用モータ２８とを備えた構成である。【選択図】      図３
2008128557.tif 000002
【特許請求の範囲】
【請求項１】
空気吸込み口及び空気吹出し口を有する室内機本体内に室内熱交換器及び循環用送風機を設けると共に、空気吸込み口と室内熱交換器との間に除塵用のエアフィルターを設け、このエアフィルターに付着した塵埃を清掃するフィルター清掃装置を備えた空気調和機において、
前記フィルター清掃装置は、エアフィルターに沿って往復移動可能な移動清掃部材と、この移動清掃部材を往復駆動させる駆動機構と、一端が移動清掃部材の出口部に接続された連結ダクトと、この連結ダクトの他端が接続された吸引装置部とを備え、
前記移動清掃部材は、エアフィルタ−に付着した塵埃を回転により掻き落とすと共にその掻き落とした塵埃を回転により出口部側へ搬送する掻き落とし兼用の回転搬送ロータと、この回転搬送ロータを回転駆動させるロータ駆動用モータとを備えたことを特徴とする空気調和機。
【請求項２】
前記移動清掃部材は、水平方向に設置されて往復移動方向が上下方向であることを特徴とする請求項１に記載の空気調和機。
【請求項３】
前記吸引装置部は、前記連結ダクトの他端を接続する入口側接続部を、前記移動清掃部材の出口部側に向けた状態で前記室内機本体内の一側部に配置してなることを特徴とする請求項１に記載の空気調和機。
【請求項４】
前記移動清掃部材は、略コ字型に形成された本体部を有し、この本体部内に前記掻き落とし兼用の回転搬送ロータが収容され、かつ、前記出口部の反対側の端部に前記ロータ駆動用モータを配したことを特徴とする請求項１に記載の空気調和機。
【請求項５】
前記移動清掃部材と対峙するエアフィルターの内側に、そのエアフィルターを挟みながら移動清掃部材に連動して往復動する内側閉塞部材を設けたことを特徴とする請求項１に記載の空気調和機。
【請求項６】
前記移動清掃部材は、略コ字型に形成された本体部を有し、この本体部の上下両側片部の下端部分に、外向きに張り出して前記エアフィルターの外表面に接する外側閉塞部材をそれぞれ設けたことを特徴とする請求項１に記載の空気調和機。
【発明の詳細な説明】
【技術分野】
【０００１】
本発明は除塵用のエアフィルタ−の清掃を自動的に行えるフィルター清掃装置を備えた空気調和機に関する。
【背景技術】
【０００２】
この種の空気調和機において、例えば、除塵用のエアフィルタ−に沿って吸引ノズルを往復移動させ、この吸引ノズルの吸引孔からエアフィルターに付着した塵埃を吸込み、その吸引ノズルに吸込まれた塵埃は、蛇腹ホース製の吸引ダクトを介して電動送風機を内蔵した吸引装置に吸引された後、排気ダクトを介して室外へ排出することにより、エアフィルターの清掃を自動的に行えるようにした空気調和機が知られている（例えば、特許文献１）。
【特許文献１】特開２００５−１４０４０５号公報
【発明の開示】
【発明が解決しようとする課題】
【０００３】
ところで、特許文献１に記載された空気調和機のフィルター清掃装置では、電動送風機を内蔵した吸引装置の空気吸込み力を利用して、エアフィルターに付着した塵埃を吸引ノズルの吸引孔から吸込み、エアフィルターを清掃する関係上、吸込み能力の大きな吸引装置が必要であり、吸引装置が不快な騒音の発生源となってしまう懸念がある。また、吸引装置による吸引力のみで、エアフィルターの塵埃を吸込み清掃するため、短時間のフィルター清掃装置の稼動では、エアフィルターを広範囲に清掃することが困難であり、必然的にフィルター清掃装置の稼働時間を長くせざるを得ないものであり、その分、フィルター清掃装置の稼働に伴う騒音の発生が問題であった。
【０００４】
本発明は、上述の実情に鑑みてなされたものであり、エアフィルターの清掃時間の短縮化を図りつつ、フィルター清掃装置の作動に伴う騒音の発生を極力抑制し得る空気調和機を提供できるようにすることを目的としている。
【課題を解決するための手段】
【０００５】
請求項１に記載の本発明では、空気吸込み口及び空気吹出し口を有する室内機本体内に室内熱交換器及び循環用送風機を設けると共に、空気吸込み口と室内熱交換器との間に除塵用のエアフィルターを設け、このエアフィルターに付着した塵埃を清掃するフィルター清掃装置を備えた空気調和機において、前記フィルター清掃装置は、エアフィルターに沿って往復移動可能な移動清掃部材と、この移動清掃部材を往復駆動させる駆動機構と、一端が移動清掃部材の出口部に接続された連結ダクトと、この連結ダクトの他端が接続された吸引装置部とを備え、前記移動清掃部材は、エアフィルタ−に付着した塵埃を回転により掻き落とすと共にその掻き落とした塵埃を回転により出口部側へ搬送する掻き落とし兼用の回転搬送ロータと、この回転搬送ロータを回転駆動させるロータ駆動用モータとを備えたことを特徴とする。
【０００６】
請求項２に記載の本発明では、請求項１に記載の空気調和機において、前記移動清掃部材は、水平方向に設置されて往復移動方向が上下方向であることを特徴とする。
【０００７】
請求項３に記載の本発明では、請求項１に記載の空気調和機において、前記吸引装置部は、前記連結ダクトの他端を接続する入口側接続部を、前記移動清掃部材の出口部側に向けた状態で前記室内機本体内の一側部に配置してなることを特徴とする。
【０００８】
請求項４に記載の本発明では、請求項１に記載の空気調和機において、前記移動清掃部材は、略コ字型に形成された本体部を有し、この本体部内に前記掻き落とし兼用の回転搬送ロータが収容され、かつ、前記出口部の反対側の端部に前記ロータ駆動用モータを配したことを特徴とする。
【０００９】
請求項５に記載の本発明では、請求項１に記載の空気調和機において、前記移動清掃部材と対峙するエアフィルターの内側に、そのエアフィルターを挟みながら移動清掃部材に連動して往復動する内側閉塞部材を設けたことを特徴とする。
【００１０】
請求項６に記載の本発明では、請求項１に記載の空気調和機において、前記移動清掃部材は、略コ字型に形成された本体部を有し、この本体部の上下両側片部の下端部分に、外向きに張り出して前記エアフィルターの外表面に接する外側閉塞部材をそれぞれ設けたことを特徴とする。
【発明の効果】
【００１１】
本発明の空気調和機によれば、掻き落とし兼用の回転搬送ロータを回転させることにより、エアフィルタ−に付着した塵埃を掻き落としながら、その掻き落とした塵埃を移動清掃部材の出口部に搬送可能であり、除塵と搬送の双方を吸引装置部の吸引力にのみ頼ることなく、エアフィルターの広範囲を短時間で清掃することが可能となり、清掃時間の短縮が図れる。
【００１２】
また、吸引力の大きな吸引装置部の設置を必要とせずに、エアフィルターの清掃が可能であるから、高い清掃能力を維持しつつ、清掃装置の作動に伴う騒音の発生を抑制可能である。
【発明を実施するための最良の形態】
【００１３】
本発明では、空気吸込み口及び空気吹出し口を有する室内機本体内に室内熱交換器及び循環用送風機を設けると共に、空気吸込み口と室内熱交換器との間に除塵用のエアフィルターを設け、このエアフィルターに付着した塵埃を清掃するフィルター清掃装置を備えた空気調和機において、前記フィルター清掃装置は、エアフィルターに沿って往復移動可能な移動清掃部材と、この移動清掃部材を往復駆動させる駆動機構と、一端が移動清掃部材の出口部に接続された連結ダクトと、この連結ダクトの他端が接続された吸引装置部とを備え、前記移動清掃部材は、エアフィルタ−に付着した塵埃を回転により掻き落とすと共にその掻き落とした塵埃を回転により出口部側へ搬送する掻き落とし兼用の回転搬送ロータと、この回転搬送ロータを回転駆動させるロータ駆動用モータとを備えた構成としたものであり、以下、に本発明の実施例を説明する。
【実施例】
【００１４】
以下、本発明の実施例について、図１〜図５の図面に基づいて説明する。
【００１５】
図１は本発明の一実施例を係わる空気調和機の室内機を示す正面図、図２は同じく図１のＡ−Ａ断面図、図３は同じく室内機の一部切欠正面図、図４は同じく要部拡大縦断面図、図５は掻き落とし兼用の回転搬送ロータの一部切断平面図である。
【００１６】
図１において、１は空気調和機の室内機であり、この室内機１は被空調室の室壁の上方部に設置され、通常は屋外に設置される室外機(図示せず)と冷媒配管を介して接続され、冷房運転、暖房運転、除湿運転などの空調運転を操作部としてのリモートコントローラ（図示せず）から送信される運転操作信号を受信して、被調和室の空調運転を行う。
【００１７】
前記室内機１は、図１〜図３に示すように、天部に設けられ空気吸込み口２、２及び下部前方に設けられた空気吹出し口３を有する本体ケース４と、この本体ケース４の前面部に開閉自在に設けられた前面パネル５とから室内機本体１Ａが構成されている。
【００１８】
前記室内機本体１Ａ内には、空気吸込み口２と空気吹出し口３とを連通する通風路６が形成されると共に、この通風路６には、前方側熱交換器７Ａと後方側熱交換器７Ｂとが組み合わされた室内熱交換器７と、この室内熱交換器７に囲まれるように配置されたクロスフローファン製の循環用送風機８と、左右方向の風向を調節する左右風向調節器９とが設けられている。
【００１９】
また、前記通風路６の吹出し通路部６Ａを形成する前部材１０と後部材１１には、前方側ドレンパン１２と後方側ドレンパン１３がそれぞれ一体に形成され、これら両ドレンパン１２、１３に、前方側熱交換器７Ａと後方側熱交換器７Ｂの下端部のそれぞれ臨ませている。また、１４は前記空気吹出し口３に設けられて上下方向の風向を調節する上下風向調節器である。
【００２０】
１５、１５は、前記空気吸込み口２などを介して室内熱交換器７へ流入する室内空気を濾過する２個の除塵用のエアフィルターであり、これらエアフィルター１５は、前記室内熱交換器７の前方位置から上方位置にわたって設けられ、そして、これらエアフィルター１５は、本体ケース４に対して着脱可能であるが、装着により本体ケース４に固定される。
【００２１】
前記エアフィルター１５の前方の前面パネル５は、循環用送風機８の送風運転が開始されると、それの上部が大きく下部が僅かにそれぞれ前方へ張り出すように開放動作され、この前面パネル５の開放動作によって、前記した空気吸込み口２の他に、本体ケース４の前面部分に開放での隙間による大きな空気吸込み間隙が形成されるものである。
【００２２】
上述の構成において、冷房運転、暖房運転、除湿運転のうち、冷房運転の場合についてのみ、室内機１の動作を簡単に説明する。先ず、図示しないリモートコントローラからの運転開始信号を制御装置（図示せず）が受信すると、制御装置は、室外機（図示せず）の圧縮機（図示せず）を起動し、液冷媒が室内熱交換器７へ送られ、ここで液冷媒が蒸発して室内熱交換器７が冷却作用を成す。
【００２３】
そして、上下風向調節器１４が作動して空気吹出し口３を大きく開放すると共に、前面パネル５が作動して前方へ張り出した後、循環用送風機８が起動する。この循環用送風機８の起動により、室内空気が空気吸込み口２等を通って室内機本体１Ａ内に吸引され、この吸引された室内空気は、エアフィルター１５で除塵されて室内熱交換器７へ流れ、この室内熱交換器７で冷却されて冷風となり、この冷風は、吹出し通路部６Ａを通り、空気吹出し口３から室内へ吹出されて、室内を冷房する。
【００２４】
次に、フィルター清掃装置２０について詳述する。フィルター清掃装置２０は、図２及び図３に示すように、エアフィルター１５、１５に沿って上下方向へ往復移動可能な移動清掃部材２１と、この移動清掃部材２１を往復駆動させる駆動機構２２と、一端が移動清掃部材２１の本体部２３の出口部２４に接続された樹脂製の可撓性ホースにてなる連結ダクト２５と、この連結ダクト２５の他端が接続された吸引装置部２６とを備えた概略構成である。
【００２５】
前記移動清掃部材２１は、図３に示すように、水平方向に設置されており、本体部２３と、この本体部２３内に収容されて、エアフィルタ−１５に付着した塵埃を回転により掻き落とすと共にその掻き落とした塵埃を回転により出口部２４側へ搬送する掻き落とし兼用の回転搬送ロータ２７と、この回転搬送ロータ２７を低速で回転駆動させるロータ駆動用モータ２８と、前記エアフィルタ−１５を挟んで本体部２３の開放面２３Ａ側と対峙するように配置され、かつ、本体部２３と連動して移動する合成樹脂にて作られた平板状の内側閉塞板Ｘとを備えた概略構成である。
【００２６】
前記駆動機構２２は、前記エアフィルター１５、１５の外側部に位置して配置された左右一対の搬送ベルト２９、２９と、これら搬送ベルト２９の一端側を巻き取りながら他端側を引き出すように動作するベルト駆動装置３０とを備えて構成されている。
【００２７】
前記吸引装置部２６は、図３に示すように、室内機本体１Ａ内の左側部空間に配置されており、そして、吸引ケース３１内に吸引ファン３２及びファンモータ３３を内蔵すると共に、吸引ファン３２で吸引した塵埃を貯えるダストケース３４を吸引ケース３１の前面部側に出し入れ自在に収容しており、さらに、前記吸引ケース３１における最も風下側の部位には、前記吸引ケース３１内に吸引された空気を、室内機１の外部、即ち、屋外へ排気する排気ホース３５が接続されている。
【００２８】
前記吸引装置部２６の吸引ケース３１は、前記連結ダクト２５の他端が接続される入口側接続部３１Ａが、前記移動清掃部材２１における本体部２３の出口部２４側に向けられた状態となるように前記室内機本体１Ａ内の左側部に配置している。
【００２９】
次に、図４を用いて、前記移動清掃部材２１について更に詳述する。前記本体部２３は、合成樹脂にて横長箱状に成型される共に、縦断面が略コ字型に形成されており、そして、前記エアフィルター１５と対峙するように前記した開放面２３Ａを形成している。
【００３０】
そして、前記したように本体部２３内には掻き落とし兼用の回転搬送ロータ２７が収容されており、前記出口部２４とは反対側の端部に位置して前記ロータ駆動用モータ２８が配置されている。
【００３１】
さらにまた、前記本体部２３の上下両側片２３Ｂ、２３Ｃの基端部には、本体部２３の長手方向に沿って硬質ゴム或いは合成樹脂にて成型された一対の外側閉塞板Ｙ、Ｚが外向きに張り出すようにそれぞれ装着されており、これら外側閉塞板Ｙ、Ｚは、本体部２３の上下近傍に位置するエアフィルター１５の一部を外側から覆うためのものである。
【００３２】
前記回転搬送ロータ２７は、硬質ゴム或いは合成樹脂にて形成されており、そして、図５に示すように、円筒形状を成した直線状のロータ軸部２７Ａと、このロータ軸部２７Ａの外周部の長手方向に設けられた複数のヒレ状清掃体２７Ｂ、２７Ｂとを備え、それらロータ軸部２７Ａと複数のヒレ状清掃体２７Ｂ、２７Ｂとを一体成型するか、或るいはロータ軸部２３Ａに複数のヒレ状清掃体２７Ｂ、２７Ｂを接合一体化するようにしても良い。
【００３３】
前記複数のヒレ状清掃体２７Ｂは、螺旋状に捻られて形成されているため、回転搬送ロータ２７は、回転によって塵埃の搬送作用が付与される。
【００３４】
また、図４に示すように、ロータ軸部２７Ａの軸方向の中心に金属棒２７Ｃを埋設一体化することにより、ロータ軸部２７Ａの曲げ強度を強化できる。
【００３５】
さらに、前記複数のヒレ状清掃体２７Ｂは、図４に示すように、それの先端部が前記エアフィルター１５の外側表面に回転しながら接触することで、回転搬送ロータ２７は、エアフィルター１５に付着している塵埃の掻き落とし作用を備える。
【００３６】
前記内側閉塞板Ｘは、硬質ゴム或いは合成樹脂にて成型され、前記回転搬送ロータ２７の回転時にエアフィルター１５を内側から支える作用を有し、前記回転搬送ロータ２７による塵埃の掻き落とし動作を補助することができる。
【００３７】
次に、前記フィルター清掃装置２０の動作について説明する。このフィルター清掃装置２０は、リモートコントローラ（図示せず）の操作部に設けられたフィルター清掃用の清掃運転操作キー（図示せず）のオン操作による清掃運転開始信号を、例えば、室内機本体１内の制御装置（図示せず）が受信するか、或いは、室内機１における循環用送風機８の運転積算時間をカウントし、その運転積算時間が所定累積時間に達すると、前記制御装置により清掃運転を開始させるようにしても良い。
【００３８】
即ち、清掃運転の開始に伴い、前記移動清掃部材２１のロータ駆動用モータ２８と、前記駆動機構２２のベルト駆動装置３０と、前記吸引装置部２６のファンモータ３３とが起動し、そして、前記移動清掃部材２１が、エアフィルター１５、１５に外側表面に沿って上下方向へ往復移動する。
【００３９】
上述した前記移動清掃部材２１の上下方向への往復移動に伴い、前記回転搬送ロータ２７がエアフィルタ−１５に付着した塵埃を掻き落とすと共にその掻き落とした塵埃を前記本体部２３の出口部２４側へ搬送する。
【００４０】
ここで、前記吸引装置部２６の吸引ファン３２の回転に伴う吸引力により、移動清掃部材２１の本体部２３内には出口部２４側に向かう吸込み空気流が生じ、この吸込み空気流の作用で、回転搬送ロータ２７によりエアフィルター１５、１５から掻き落とし搬送された塵埃が、前記連結ダクト２５を介して吸引装置部２６内に吸込まれる。
【００４１】
前記吸引装置部２６内に吸込まれた前記塵埃の殆どは、ダストケース３４内に貯留され、残りの空気は、排気ダクト３５を介して、室内機１の外部、即ち、屋外へ排気される。
【００４２】
上述したようなフィルター清掃装置２０の運転動作は、移動清掃部材２１が少なくとも１往復（数往復でも良い）した時点で自動的に停止する。この移動清掃部材２１の停止位置は、前記エアフィルター１５、１５の下側端部、或いは上側端部の近傍位置が、エアフィルター１５、１５の通気抵抗を減少させるのに最適である。
【００４３】
本実施例によれば、除塵用のエアフィルター１５、１５に付着した塵埃を清掃するフィルター清掃装置２０を備えた空気調和機において、前記フィルター清掃装置２０は、エアフィルター１５、１５の外側表面に沿って上下方向へ往復移動可能な移動清掃部材２１と、この移動清掃部材２１を往復駆動させる駆動機構２２と、一端が移動清掃部材２１における本体部２３の出口部２４に接続された連結ダクト２５と、この連結ダクト２５の他端が接続された吸引装置部２６とを備えており、前記移動清掃部材２１は、エアフィルタ−１５に付着した塵埃を回転により掻き落とすと共にその掻き落とした塵埃を回転により出口部２４側へ搬送する掻き落とし兼用の回転搬送ロータ２７と、この回転搬送ロータ２７を回転駆動させるロータ駆動用モータ２８とを備えた構成である。
【００４４】
以上のように、掻き落とし兼用の回転搬送ロータ２７を、ロータ駆動用モータ２８にて回転させることにより、回転搬送ロータ２７がエアフィルタ−１５、１５に付着した塵埃を掻き落としながら、その掻き落とした塵埃を移動清掃部材２１の本体部２３の出口部２４に搬送するため、除塵と搬送の双方を吸引装置部２６の吸引力のみに頼ることなく、エアフィルター１５、１５の広範囲を、短時間で清掃することが可能となり、清掃時間の短縮が図れるものである。
【００４５】
また、吸引力の大きな吸引装置部２６の設置を必要とせずに、エアフィルター１５、１５の清掃が可能であるから、高い清掃能力を維持しながら、フィルター清掃装置２０の作動に伴う不快な騒音の発生を抑制することができる。
【００４６】
前記移動清掃部材２１の本体部２３は、水平方向に設置されてそれの往復移動方向が上下方向であるから、垂直方向に設置されて往復移動方向が左右横方向のものよりも、移動清掃部材２１の移動距離を短く設定することが可能となり、清掃時間の短縮化が図れる。
【００４７】
前記吸引装置部２６は、連結ダクト２５の他端を接続する入口側接続部３１Ａを、移動清掃部材２１の出口部２４側に向けた状態で室内機本体１Ａ内の一側部に配置したことにより、連結ダクト２５の長さを極力短く設定できると共に、連結ダクト２５をＵターン状に屈曲させないようにできるので、空気抵抗を減少させつつ、連結ダクト２５の耐久性を向上できる。
【００４８】
前記移動清掃部材２０は、略コ字型に形成された本体部２３を有し、この本体部２３内に前記掻き落とし兼用の回転搬送ロータ２７が収容され、かつ、前記出口部２４の反対側の端部に前記ロータ駆動用モータ２８を配した構成であるから、出口部２４側に接続された連結ダクト２５の荷重と、それとは反対側のロータ駆動用モータ２８の荷重とで、本体部２３における左右方向の重量バランスの均衡化が図れて、本体部２３の左右方向の傾きが抑えられ、上下方向への滑らかな往復動が可能になる。
【００４９】
前記移動清掃部材２０の本体部２３と対峙するエアフィルター１５の内側には、そのエアフィルター１５を挟みながら移動清掃部材２０の本体部２３に連動して往復動する内側閉塞板Ｘを設けた構成であるから、回転搬送ロータ２７の回転時に内側閉塞板Ｘがエアフィルター１５を内側から支えるため、回転搬送ロータ２７による塵埃の掻き落としの動作を補助することができ、一層良好な塵埃の掻き落としが可能になる。
【００５０】
前記移動清掃部材２０は、略コ字型に形成された本体部２３を有し、この本体部２３の上下両側片部２３Ｂ、Ｃの下端部分に、外向きに張り出して前記エアフィルター１５の外表面に接する外側閉塞板Ｙ、Ｚをそれぞれ設けた構成であるから、回転搬送ロータ２７の回転時に外側閉塞板Ｙ、Ｚがエアフィルター１５を外側から支えるため、前記内側閉塞板Ｘと相俟って、回転搬送ロータ２７による塵埃の掻き落としの動作を補助し、一層良好な塵埃の掻き落としが可能になる。
【００５１】
以上本発明の実施例について説明したが、上述の説明に基づいて当業者にとって種々の代替例、修正又は変形が可能であり、本発明の主旨を逸脱しない範囲で種々の代替例、修正又は変形を包含するものである。
【図面の簡単な説明】
【００５２】
【図１】本発明の一実施例に係わる空気調和機の室内機を示す正面図である。
【図２】同じく図１のＡ−Ａ断面図である。
【図３】同じく室内機の一部切欠正面図である。
【図４】同じく要部拡大縦断面図である。
【図５】掻き落とし兼用の回転搬送ロータの一部切断平面図である。
【符号の説明】
【００５３】
１      室内機
１Ａ    室内機本体
２      空気吸込み口
３      空気吹出し口
４      本体ケース
５      前面パネル
６      通風路
７      室内熱交換器
８      循環用送風機
９      左右方向調節器
１５      エアフィルター
２０      フィルター清掃装置
２１      移動清掃部材
２２      駆動機構
２３      移動清掃部材の本体部
２３Ａ    開放面
２３Ｂ    上側片（上側片部）
２３Ｃ    下側片（下側片部）
２４      出口部
２５      連結ダクト
２６      吸引装置部
２７      掻き落とし兼用の回転搬送ロータ
２７Ａ    ロータ軸部
２７Ｂ    ヒレ状清掃体
２８      ロータ駆動用モータ
２９      搬送ベルト
３０      ベルト駆動装置
３１      吸引ケース
３１Ａ    入口側接続部
Ｘ    内側閉塞板（内側閉塞部材）
Ｙ    外側閉塞板（外内側閉塞）
Ｚ    外側閉塞板（外内側閉塞）
【図１】
2008128557.tif 000003
【図２】
2008128557.tif 000004
【図３】
2008128557.tif 000005
【図４】
2008128557.tif 000006
【図５】
2008128557.tif 000007